(57)【特許請求の範囲】
【請求項１】
試験片の特性を測定するための携帯機器用のアクセサリであって、
第１シースと、携帯機器を固定するように第１シースに連結された第２シースと、第１シース上に形成されたガイド要素とを備える携帯機器アダプタと、
携帯機器アダプタに着脱可能に連結され、ガイド要素を受けるように構成される主ブラケットガイド溝を形成し、異なる種類の試験片を受けるように構成される試験片アダプタと、を備え、
第１シースはさらに、
試験片アダプタ内に配置された試験片の画像を取得するための携帯機器のカメラに対応するカメラ穴と、
携帯機器の画面の第１部分に対応し、画面の第１部分からの光を、試験片アダプタ内に配置された試験片を照らすように通す照明画面開口部と、
携帯機器の画面の第２部分に対応する表示画面開口部と、を形成する、アクセサリ。
【請求項２】
携帯機器アダプタはさらに、
第１シースと第２シースとの間に配置されたラッチと、
ラッチに連結され、第２シース内に形成される第１のシース開口部の中に配置されるノブと、を備える、請求項１に記載のアクセサリ。
【請求項３】
第２シースはさらに、ラッチを受けるためのラッチガイド溝を形成する、請求項２に記載のアクセサリ。
【請求項４】
試験片アダプタはさらに、ラッチのラッチ突出要素を受ける一組のラッチ収容部をさらに形成し、これにより、ノブは、試験片アダプタを携帯機器アダプタにロックするように、及び携帯機器アダプタからロック解除するように、ラッチ収容部においてラッチ突出要素を移動させるように構成される、請求項２に記載のアクセサリ。
【請求項５】
試験片の特性を測定するための携帯機器用のアクセサリであって、
カメラ穴と照明画面開口部とを形成する携帯機器アダプタと、
携帯機器アダプタにロックするように構成される試験片アダプタと、を備え、
試験片アダプタは、
試験片を受けるための第１挿入口および第２挿入口を形成するケースと、
ケースと係合するように構成され、カメラ穴および照明画面開口部に対応し、かつ揃う主検出開口部を形成する主ブラケットと、
主ブラケット内に配置され、第１挿入口を介して挿入された試験片を受けるように、及び第２挿入口を介して挿入された試験片を受けるように構成される試験片ブラケットと、
主ブラケットの側面に連結するように構成される光ガイドと、
を備える、アクセサリ。
【請求項６】
主ブラケットはさらに、
ケースと係合する第１結合要素と、
いずれも光ガイドに固定される第２結合要素および旋回軸と、を備える、請求項５に記載のアクセサリ。
【請求項７】
ケースはさらに、第１結合要素と係合する結合開口部を形成する、請求項６に記載のアクセサリ。
【請求項８】
光ガイドはさらに、旋回軸に係合する切欠きを備え、第２結合要素と係合した光ガイド結合開口部を形成する、請求項６に記載のアクセサリ。
【請求項９】
試験片の特性を測定するための携帯機器用のアクセサリであって、
カメラ穴および照明画面開口部を形成する携帯機器アダプタと、
携帯機器アダプタに連結するように構成された試験片アダプタと、を備え、
試験片アダプタは、
試験片を受けるための第１挿入口および第２挿入口を形成するケースと、
ケースと係合するように構成され、カメラ穴および照明画面開口部に対応し、かつ揃う主検出開口部を形成する主ブラケットと、
第１挿入口を介して挿入された試験片を受けるように、及び第２挿入口を介して挿入された試験片を受けるように構成され、少なくとも１つの検出開口部を形成する試験片ブラケットと、
主ブラケットに連結するように構成される光ガイドと、
を備える、アクセサリ。
【請求項１０】
主ブラケットはさらに、主ブラケットに係合された第１ねじりばねに係合される第１扉を備え、第１扉は、第１挿入口から挿入された試験片に応じて連動して動く、請求項９に記載のアクセサリ。
【請求項１１】
主ブラケット１１はさらに、第２扉を備え、第２扉が主ブラケット上で第１の位置にあるとき、第２扉は主検出開口部を覆い、試験片が第２挿入口から挿入されるのに応じて、主検出開口部を少なくとも部分的に遮らないように、連動して第２扉が主ブラケット上で第２の位置に動く、請求項９に記載のアクセサリ。
【請求項１２】
ケースはさらに、ケースの一方の側から他方の側に向かう方向にスライドして第２挿入口を覆うように、及び当該方向とは逆方向にスライドして第２挿入口を露出させるように構成されたスライドモジュールを備える、請求項９に記載のアクセサリ。
【請求項１３】
主ブラケットはさらに、引張ばね及びロックを主ブラケット上に備え、引張ばねとロックが係合して、スライドモジュールとケースをロックするように、及びロック解除するように、引張ばねの伸縮に応じてロックが可動に構成される、請求項１２に記載のアクセサリ。
【請求項１４】
試験片ブラケットはさらに、主ブラケットに対して、試験片ブラケットを第１状態または第２状態に維持するように機能的に構成されたハンドルを備え、
第１状態では、少なくとも１つの検出開口部が主検出開口部と揃うように構成され、
第２状態では、主検出開口部が、主ブラケットの第２扉から少なくとも部分的に遮られていない、請求項９に記載のアクセサリ。
【請求項１５】
第２状態では、第１の試験片が第１挿入口から挿入されることに応じて、第１の試験片の第１の反応領域が主検出開口部と揃う、請求項１４に記載のアクセサリ。
【請求項１６】
第２状態では、キャリブレーション試験片が第１挿入口から挿入されることに応じて、キャリブレーション試験片の複数の色付きキャリブレーション区画が主検出開口部と揃う、請求項１４に記載のアクセサリ。
【請求項１７】
第１状態では、試験片ブラケットの少なくとも１つの検出開口部は、第２の検出開口部を含み、第２の試験片が第２挿入口から挿入されることに応じて、第２の試験片の第２の反応領域が、第２の検出開口部および主検出開口部と揃う、請求項１４に記載のアクセサリ。
【請求項１８】
第１状態では、試験片ブラケットの少なくとも１つの検出開口部は、第１の検出開口部を含み、第３の試験片が第２挿入口から挿入されることに応じて、第３の試験片の第３の反応領域が、第１の検出開口部および主検出開口部と揃う、請求項１４に記載のアクセサリ。
【発明の詳細な説明】
【関連出願の相互参照】
【０００１】
本願は、２０１７年３月１７日に出願された米国仮特許出願第６２／４７２，５８５号に基づく利益を主張するものであり、当該出願の全体を参照により援用する。
【背景技術】
【０００２】
近年、体外診断（ＩＶＤ）装置、特に血糖測定器が、慢性疾患を抱える患者の間で広く受け入れられるようになってきた。測定を行うために、患者は通常、独立型のＩＶＤ装置を常に携帯する必要がある。
【０００３】
典型的なＩＶＤ測定において、試験片（ｔｅｓｔ  ｓｔｒｉｐ）は酵素から成り、試薬が使用される。試料流体を受け、例えば電気インピーダンスや色のような試験片の特性は、例えば血糖や血中コレステロールなどの対象とする分析物の濃度によって変化する。
【０００４】
光化学に基づく（Ｏｐｔｏｃｈｅｍｉｓｔｒｙ−ｂａｓｅｄ）ＩＶＤシステムは通常、受け取った分析物の濃度によって色が変化する試験片と、試験片を照らす特定の光源と、散乱光を検出する光センサと、遮光ケースとを備える。
【０００５】
これら既存のＩＶＤ装置は、特定の種類の試験片で機能する場合が多い。様々な種類の試験片が関わる複数の試験を行う必要がある患者は、複数のＩＶＤ装置を入手して、携帯する必要がある。
【発明の概要】
【０００６】
本開示の例において、試験片の特性を測定するような装置が提供される。装置は、試験片の特性を測定するような携帯機器のためのアクセサリを含んでよい。アクセサリは、携帯機器アダプタと試験片アダプタとを含んでよい。携帯機器アダプタは、携帯機器を固定するように、第１シースと、第１シースに連結された第２シースとを備えてよい。試験片アダプタは、携帯機器に着脱可能に取り付けられる。試験片アダプタは、様々な種類の試験片を受けるように構成される。
【図面の簡単な説明】
【０００７】
本開示の前述した特徴および他の特徴は、添付の図面と併せて、下記の説明と添付の特許請求の範囲から、十分に明らかになるであろう。これらの図面は、本開示に従ういくつかの実施形態を示すにすぎず、本開示の範囲を限定するものと解されるべきではない。添付の図面を用い、本開示は、さらなる特異性と詳細を以て説明される。
【０００８】
【図１】本開示のいくつかの実施形態による携帯機器アクセサリ１０の斜視図
【図２Ａ】本開示のいくつかの実施形態による携帯機器アダプタ１００の上面分解斜視図
【図２Ｂ】本開示のいくつかの実施形態による携帯機器アダプタ１００の下面分解斜視図
【図３Ａ】本開示のいくつかの実施形態による試験片アダプタ２００の前方分解斜視図
【図３Ｂ】本開示のいくつかの実施形態による試験片アダプタ２００の後方分解斜視図
【図３Ｃ】本開示のいくつかの実施形態による試験片アダプタ２００の下面前方分解斜視図
【図３Ｄ】本開示のいくつかの実施形態による試験片アダプタ２００の下面後方分解斜視図
【図４】本開示のいくつかの実施形態による携帯機器アダプタ１００および試験片アダプタ２００の斜視図
【図５Ａ】本開示のいくつかの実施形態による携帯機器アダプタ１００および試験片アダプタ２００の図４とは別の斜視図
【図５Ｂ】本開示のいくつかの実施形態による携帯機器アダプタ１００および試験片アダプタ２００の図４とは別の斜視図
【図６Ａ】本開示のいくつかの実施形態による主ブラケット２２０および試験片ブラケット２３０の斜視図
【図６Ｂ】本開示のいくつかの実施形態による主ブラケット２２０および試験片ブラケット２３０の斜視図
【図６Ｃ】本開示のいくつかの実施形態による主ブラケット２２０および試験片ブラケット２３０の斜視図
【図７Ａ】本開示のいくつかの実施形態による異なる種類の試験片を示す図
【図７Ｂ】本開示のいくつかの実施形態による異なる種類の試験片を示す図
【図７Ｃ】本開示のいくつかの実施形態による異なる種類の試験片を示す図
【図７Ｄ】本開示のいくつかの実施形態による異なる種類の試験片を示す図
【図８Ａ】中サイズの試験片４１０が第２検出開口部２３４と第２挿入口２１５に挿入される前の、本開示のいくつかの実施形態による主ブラケット２２０および試験片ブラケット２３０の前方斜視図
【図８Ｂ】中サイズの試験片４１０が第２検出開口部２３４と第２挿入口２１５に挿入される前の、本開示のいくつかの実施形態による主ブラケット２２０と試験片ブラケット２３０の後方斜視図
【図８Ｃ】中サイズの試験片４１０が第２検出開口部２３４と第２挿入口２１５に挿入された後の、本開示のいくつかの実施形態による主ブラケット２２０と試験片ブラケット２３０の前方斜視図
【図８Ｄ】中サイズの試験片４１０が第２検出開口部２３４と第２挿入口２１５に挿入された後の、本開示のいくつかの実施形態による主ブラケット２２０と試験片ブラケット２３０の後方斜視図
【図９Ａ】小サイズの試験片４２０が第１検出開口部２３３と第２挿入口２１５に挿入される前の、本開示のいくつかの実施形態による主ブラケット２２０と試験片ブラケット２３０の前方斜視図
【図９Ｂ】小サイズの試験片４２０が第１検出開口部２３３と第２挿入口２１５に挿入される前の、本開示のいくつかの実施形態による主ブラケット２２０と試験片ブラケット２３０の後方斜視図
【図９Ｃ】小サイズの試験片４２０が第１検出開口部２３３と第２挿入口２１５に挿入された後の、本開示のいくつかの実施形態による主ブラケット２２０と試験片ブラケット２３０の前方斜視図
【図９Ｄ】小サイズの試験片４２０が第１検出開口部２３３と第２挿入口２１５に挿入された後の、本開示のいくつかの実施形態による主ブラケット２２０と試験片ブラケット２３０の後方斜視図
【図１０Ａ】キャリブレーション試験片４３０が第１挿入口２１４に挿入される前の、本開示のいくつかの実施形態による主ブラケット２２０と試験片ブラケット２３０の前方斜視図
【図１０Ｂ】キャリブレーション試験片４３０が第１挿入口２１４に挿入される前の、本開示のいくつかの実施形態による主ブラケット２２０と試験片ブラケット２３０の後方斜視図
【図１０Ｃ】キャリブレーション試験片４３０が第１挿入口２１４に挿入された後の、本開示のいくつかの実施形態による主ブラケット２２０と試験片ブラケット２３０の前方斜視図
【図１０Ｄ】キャリブレーション試験片４３０が第１挿入口２１４に挿入された後の、本開示のいくつかの実施形態による主ブラケット２２０と試験片ブラケット２３０の後方斜視図
【図１１Ａ】大サイズの試験片４４０が第１挿入口２１４に挿入される前の、本開示のいくつかの実施形態による主ブラケット２２０と試験片ブラケット２３０の前方斜視図
【図１１Ｂ】大サイズの試験片４４０が第１挿入口２１４に挿入される前の、本開示のいくつかの実施形態による主ブラケット２２０と試験片ブラケット２３０の後方斜視図
【図１１Ｃ】大サイズの試験片４４０が第１挿入口２１４に挿入された後の、本開示のいくつかの実施形態による主ブラケット２２０と試験片ブラケット２３０の前方斜視図
【図１１Ｄ】大サイズの試験片４４０が第１挿入口２１４に挿入された後の、本開示のいくつかの実施形態による主ブラケット２２０と試験片ブラケット２３０の後方斜視図
【発明を実施するための形態】
【０００９】
以下の詳細な説明では、本明細書の一部である添付図面を参照する。図面において、文脈上別途指示がない限り、通例、類似の記号は類似の構成要素を示し、同じ数字は同じ構成要素を示す。詳細な説明と図面に記載される例示的な実施形態は、限定を意図するものではない。本明細書に提示された主題の精神または範囲を逸脱することなく、他の実施形態が使用されてもよく、他の変更がされてもよい。本明細書で一般的に記載され、図面で例示されるような本開示の側面は、多種多様な種々の構成において、変更、置換、組み合わせ、および設計されることができ、これら種々の構成の全てが本明細書において明示的に予期されていることは、容易に理解されよう。
【００１０】
図１は、本開示のいくつかの実施形態による携帯機器アクセサリ１０の斜視図を示す。いくつかの実施形態において、携帯機器アクセサリ１０は、携帯機器アダプタ１００、試験片アダプタ２００、および携帯機器３００を含む。携帯機器アダプタ１００は、試験片アダプタ２００とロックされるように構成可能である。携帯機器アダプタ１００はまた、携帯機器３００を受けるように構成可能である。いくつかの実施形態において、携帯機器３００は、カメラ３１０と画面３２０を含む。
【００１１】
図２Ａは、本開示のいくつかの実施形態による携帯機器アダプタ１００の上面分解斜視図である。図２Ｂは、本開示のいくつかの実施形態による携帯機器アダプタ１００の下面分解斜視図である。図２Ａと図２Ｂに関連して、携帯機器アダプタ１００は、第１シース（例えば、上部シース１１０）、第２シース（例えば、下部シース１２０）、およびロック機構（例えば、ラッチ１３０とノブ１４０）を備える。上部シース１１０は、下部シース１２０に連結するように構成可能である。上部シース１１０と下部シース１２０は、互いに連結された状態で、携帯機器３００を固定する。
【００１２】
図２Ａを参照すると、いくつかの実施形態において、上部シース１１０は、カメラ穴１１１、照明画面（ｉｌｌｕｍｉｎａｔｉｎｇ  ｓｃｒｅｅｎ）開口部１１２、一組のラッチ開口部１１３、ディスプレイ開口部１１４、および一組のガイド要素１１５を形成する。いくつかの実施形態において、下部シャーシ１２０は、ラッチガイド溝１２３を含む。
【００１３】
いくつかの実施形態において、図１と関連して、携帯機器３００が上部シース１１０と下部シース１２０との間に受けられることに応じ、カメラ穴１１１と照明画面開口部１１２が、携帯機器３００のカメラ３１０と画面３２０の第１部分とにそれぞれ対応する。画面３２０の第１部分は、試験片の反応領域を照らすように構成され、カメラ３１０は、反応領域の画像を取得するように構成される。加えて、ディスプレイ開口部１１４は、ユーザのための表示を提供するように、画面３２０の第２部分に対応してもよい。
【００１４】
図２Ｂを参照すると、いくつかの実施形態において、上部シース１１０は、電源ボタン１１６と音量ボタン１１７を含む。電源ボタン１１６と音量ボタン１１７は、上部シース１１０と下部シース１２０との間に受けられた携帯機器３００をユーザが操作するために構成される。いくつかの実施形態において、下部シース１２０は、第１のシース開口部１２１と第２のシース開口部１２２とを形成する。第１のシース開口部１２１は、ノブ１４０を受けるように構成されてもよい。第２のシース開口部１２２は、携帯機器３００の別のカメラ（図示せず）に対応するように構成されてもよい。
【００１５】
図２Ｂでは、いくつかの実施形態において、ラッチ１３０は、上部シース１１０と下部シース１２０との間に配置されるように構成される。ラッチ１３０は、一組のラッチ突出要素１３１を含んでよい。ラッチ突出要素１３１は、ラッチ開口部１１３に嵌め込むように構成可能である。いくつかの実施形態において、ノブ１４０は、ラッチ１３０の対応するノブ開口部１３２に連結可能なノブクリップ１４１を含んでよい。図２Ａに関連して、ラッチ１３０は、ラッチガイド溝１２３に受けられ、ノブ１４０を第１のシース開口部１２１においてスライドさせることにより、ラッチガイド溝１２３に沿ってスライドするように構成される。
【００１６】
図３Ａは、本開示のいくつかの実施形態による試験片アダプタ２００の前方分解斜視図を示す。図３Ｂは、本開示のいくつかの実施形態による試験片アダプタ２００の後方分解斜視図を示す。いくつかの実施形態において、試験片アダプタ２００は、ケース２１０、主ブラケット２２０、試験片ブラケット２３０、および光ガイド２４０を含む。いくつかの実施形態において、ケース２１０は、主ブラケット２２０と係合するように構成される。いくつかの実施形態において、ケース２１０が主ブラケット２２０と係合することに応じ、試験片ブラケット２３０は、係合されたケース２１０と主ブラケット２２０とによって形成される空間に配置される。加えて、光ガイド２４０は、主ブラケット２２０の片側に連結するように構成され、一方、試験片ブラケット２３０は、主ブラケット２２０の別の側に連結される。
【００１７】
図３Ａと図３Ｂに関連して、いくつかの実施形態において、ケース２１０は、スライド機構を経てスライドモジュール２１１と連結される。加えて、ケース２１０は、一組の結合開口部２１２、第１挿入口２１４、および第２挿入口２１５を形成する。スライドモジュール２１１は、スライドモジュール２１１がケース２１０の片側から別の側へスライドするにつれて第２挿入口２１５を覆うように、または露出するように構成可能である。
【００１８】
図３Ａと図３Ｂに関連して、いくつかの実施形態において、主ブラケット２２０は、一組の主ブラケットガイド溝２２１、および主検出開口部２２２を形成する。加えて、いくつかの実施形態において、主ブラケット２２０は、第１ねじりばね２２３、第１扉２２４、第２ねじりばね２２５、第２扉２２６、引張ばね２２７、ロック２２８、一組の第１結合要素２２９、および旋回軸２２Ｂを含む。
【００１９】
図３Ａと図３Ｂに関連して、いくつかの実施形態において、試験片ブラケット２３０は、ハンドル２３１を含んでよい。加えて、いくつかの実施形態において、試験片ブラケット２３０は、第１検出開口部２３３と第２検出開口部２３４とを形成する。図３Ａと図３Ｂに関連して、いくつかの実施形態において、光ガイド２４０は、一組の切欠き２４３を含み、光ガイド結合開口部２４４を形成する。
【００２０】
いくつかの実施形態において、ケース２１０は、主ブラケット２２０と係合するように構成される。図３Ａに戻ると、結合開口部２１２は、ケース２１０の片側に延びる。いくつかの実施形態において、結合開口部２１２は、主ブラケット２２０の第１結合要素２２９と対応し、かつ係合するように構成される。第１結合要素２２９と結合開口部２１２との係合に応じて、ケース２１０は主ブラケット２２０と係合する。
【００２１】
いくつかの実施形態において、主ブラケット２２０のいくつかの要素が、ここで詳述される。主検出開口部２２２は、主ブラケットに形成される貫通開口部であってよい。加えて、図２Ａと関連して、主検出開口部２２２は、上部シース１１０のカメラ穴１１１および照明画面開口部１１２と対応し、揃うように構成される。
【００２２】
いくつかの実施形態において、図３Ａを参照すると、主ブラケットの片側において、第１ねじりばね２２３の一端は、主ブラケットと係合するように構成される。第１ねじりばね２２３の他方の端は、第１扉２２４と係合するように構成される。いくつかの実施形態において、第１扉２２４は、第１挿入口２１４に試験片が挿入されていないとき、第１挿入口２１４を覆うように構成される。いくつかの実施形態において、第１挿入口２１４に試験片が挿入されているとき、試験片は、主検出開口部２２２に到達できるように第１扉２２４を押す。
【００２３】
いくつかの実施形態において、図３Ａを参照すると、第２ねじりばね２２５は、主ブラケット２２０に配置される。第２ねじりばね２２５の一端は、第２扉２２６と係合される。これにより、第２扉２２６は、第１の位置又は第２の位置に位置することができる。第１の位置は、第２ねじりばね２２５が第１のねじり力を保持するとき、第２扉２２６が主検出開口部２２２を覆う位置である。第２の位置は、または第２ねじりばね２２５が第２のねじり力を保持するとき、主検出開口部２２２を露出させる位置である。いくつかの実施形態において、第２扉２２６が第１の位置にあるとき、第２扉２２６は、主検出開口部２２２を覆い、カメラ３１０を汚染物質（例えば、試験片上の塵や血液）による汚染から保護することができる。いくつかの実施形態において、第２扉２２６が第２の位置にあるとき、第２扉２２６は、主検出開口部２２２を少なくとも部分的に遮られない状態とすることができ、その結果、カメラ３１０は、試験片の反応領域の１つまたは複数の像を捉えるような、主検出開口部２２２を通る光路を有することができる。いくつかの実施形態において、試験片が第２挿入口２１５に挿入されることに応じ、試験片は、主検出開口部２２２を露出するように、第１の位置から第２の位置に、第２扉２２６を押すことができる。
【００２４】
いくつかの実施形態において、図３Ａと図３Ｂを参照すると、主ブラケット２２０の、第１ねじりばね２２３が係合される側と反対の他方の側では、ねじりばね２２７が主ブラケット２２０のロック２２８と係合する。引張ばね２２７とロック２２８の係合により、スライドモジュール２１１とケース２１０のロックまたはロック解除が行われる。
【００２５】
いくつかの実施形態において、図３Ａを参照すると、試験片ブラケット２３０は、ハンドル２３１を含む。ハンドル２３１は、試験片ブラケット２３０の一端にある。加えて、ハンドル２３１は手動で、主ブラケット２２０上で移動される。試験片ブラケット２３０は、第１検出開口部２３３と第２検出開口部２３４を形成してもよい。検出開口部２３３および２３４は、下記で詳述される。
【００２６】
上記のように、試験片ブラケット２３０は、係合されたケース２１０と主ブラケット２２０とによって形成されるスペースに、配置される。図３Ｃは、本開示のいくつかの実施形態にしたがって、試験片ブラケット２３０が主ブラケット２２０に配置されるときの、試験片アダプタ２００（明確にするためケース２１０は図示せず）の下面前方分解斜視図である。図３Ｄは、本開示のいくつかの実施形態にしたがって、試験片ブラケット２３０が主ブラケット２２０に配置されるときの、試験片アダプタ２００（明確にするためケース２１０は図示せず）の下面後方分解斜視図である。図３Ｄにおいて、光ガイド２４０は、切欠き２４３を含み、光ガイド結合開口部２４４を形成する。図３Ｂに関連して、切欠き２４３は、光ガイド２４０を主ブラケット２２０に固定するように、旋回軸２２Ｂと係合可能である。同様に、図３Ｄに戻ると、光ガイド接続開口部２４４もまた、光ガイド２４０を主ブラケット２２０に固定するように、主ブラケット２２０の第１接続要素２２Aと係合するよう構成される。
【００２７】
いくつかの実施形態では、図３Cにおいて、光ガイド２４０はさらに、光ガイドカメラ開口部２４１および光ガイド照明画面開口部２４２を形成する。いくつかの実施形態において、図３Ａに関して、光ガイドカメラ開口部２４１および光ガイド照明画面開口部２４２は、いずれも主ブラケット２２０の主検出開口部２２２から遮るものがない。加えて、図２Ａに関して、光ガイドカメラ開口部２４１は、上部シース１１０のカメラ１１１と対応可能である。同様に、光ガイド照明画面開口部２４２は、上部シース１１０の照明画面開口部１１２と対応可能である。
【００２８】
図４は、本開示のいくつかの実施形態による携帯機器アダプタ１１０および試験片アダプタ２００の斜視図を示す。上記のように、試験片アダプタ２００は、携帯機器アダプタ１００と係合可能である。図２Ａと図２Ｂに関して、ケース２１０はさらに、ラッチ突出要素１３１を受けるようにラッチ収容部２１３を含んでもよい。いくつかの実施形態では、ノブ１４０は、試験片アダプタ２００を携帯機器アダプタ１００にロックするように、または試験片アダプタ２００を携帯機器アダプタ１００からロック解除するように、ラッチ収容部２１３におけるラッチ突出要素１３１を移動させる。
【００２９】
図５Ａと図５Ｂは、本開示のいくつかの実施形態による携帯機器アダプタ１００および試験片アダプタ２００について、別の２つの斜視図を示す。図３Ａと図３Ｂに関連して、主ブラケット２２０の主ブラケットガイド溝２２１は、上部シース１１０のガイド要素１１５を受けるように構成される。したがって、図４に関して、試験片アダプタ２２０を携帯機器アダプタ１００にロックする前に、ガイド要素１１５を携帯機器アダプタ１００に向けて導くことにより、試験片アダプタ２００が導かれてもよい。
【００３０】
図６Ａは、本開示のいくつかの実施形態による試験片ブラケット２３０が主ブラケット２２０内にあるときの、主ブラケット２２０および試験片ブラケット２３０の斜視図を示す。図３Ａと図３Ｂに関して、ハンドル２３１は、主ブラケット２２０の主検出開口部２２２と、試験片アダプタ２３０の第２検出開口部２３４とを揃うように、主ブラケット２２０に対して試験片ブラケット２３０を第１状態に維持するよう動作可能に（ｏｐｅｒａｔｉｖｅｌｙ）構成される。
【００３１】
図６Ｂは、本開示のいくつかの実施形態による試験片ブラケット２３０が主ブラケット２２０内にあるときの、主ブラケット２２０および試験片ブラケット２３０の別の斜視図を示す。図３Ａと図３Ｂに関して、ハンドル２３１は、主ブラケット２２０の主検出開口部２２２と試験片アダプタ２３０の第１検出開口部２３３とを揃えるように、主ブラケット２２０に対して試験片ブラケット２３０を第２状態に維持するよう動作可能に構成される。
【００３２】
図６Ｃは、本開示のいくつかの実施形態による試験片ブラケット２３０が主ブラケット２２０内にあるときの、主ブラケット２２０および試験片ブラケット２３０の別の斜視図を示す。図３Ａと図３Ｂに関して、主ブラケット２２０が、試験片アダプタ２３０の第１検出開口部２３３とも、第２検出開口部２３４とも揃わないように、主ブラケット２２０に対して試験片ブラケット２３０は第３状態に維持される。いくつかの実施形態において、第３状態で主検出開口部２２２は、少なくとも一部が第２扉２２６から遮られていない。
【００３３】
図７Ａ、図７Ｂ、図７Ｃ、および図７Ｄは、本開示のいくつかの実施形態による試験片の異なる種類を示す。図７Ａは、中サイズの試験片４１０の２つの斜視図を示す。中サイズの試験片４１０は、複数の反応領域４１１と試料採取部４１２とを含んでよい。図７Ｂは、小サイズの試験片４２０の２つの斜視図を示す。小サイズの試験片４１０は、反応領域４２１と試料採取部４２２とを含んでよい。図７Ｃは、大サイズの試験片４４０の２つの斜視図を示す。大サイズの試験片４４０は、反応領域４４１と試料採取部４４２とを含んでよい。いくつかの実施形態において、試料は、試料採取部４１２、４２２、および４４２に配置されてもよい。
【００３４】
図７Ｄは、キャリブレーション試験片４３０の２つの斜視図を示す。いくつかの実施形態において、キャリブレーション試験片４３０は、白色キャリブレーション区画４３１、赤系色キャリブレーション区画４３２と４３３（例えば、茶色キャリブレーション区画と赤色キャリブレーション区画）、緑／青系色キャリブレーション区画４３４と４３５（例えば、緑色キャリブレーション区画と青色キャリブレーション区画）を含む。試料を照らすために使用される光は、キャリブレーション区画４３１、４３２、４３３、４３４および４３５でキャリブレーション可能である。いくつかの実施形態において、光に含まれる赤色成分は、赤系色キャリブレーション区画４３２と４３３に関連する１つまたは複数の反射を、白色キャリブレーション区画４３１に関連する１つまたは複数の反射に対して比較することにより、キャリブレーション可能である。比較において、予め決められた範囲を超えることに応じ、キャリブレーション結果として光（例えば、携帯機器３００の画面３２０からの光）が試料を照らすために適さないと決定される。同様に、光に含まれる緑／青色成分は、緑／青系色キャリブレーション区画４３４と４３５に関連する１つまたは複数の反射を、白色キャリブレーション区画４３１に関連する１つまたは複数の反射に対して比較することにより、キャリブレーション可能である。比較において、予め決められた範囲を超えることに応じ、キャリブレーション結果として光が試料を照らすために適さないと決定され、携帯機器３００の代わりに別の携帯機器が光源を提供するために使用されてもよい。
【００３５】
図８Ａは、中サイズの試験片４１０が第２検出開口部２３４と第２挿入口２１５に挿入される前の、本開示のいくつかの実施形態による主ブラケット２２０と試験片ブラケット２３０の前方斜視図を示す。図８Ｂは、中サイズの試験片４１０が第２検出開口部２３４と第２挿入口２１５に挿入される前の、本開示のいくつかの実施形態による主ブラケット２２０と試験片ブラケット２３０の後方斜視図を示す。図８Ｃは、中サイズの試験片４１０が第２検出開口部２３４と第２挿入口２１５に挿入された後の、本開示のいくつかの実施形態による主ブラケット２２０と試験片ブラケット２３０の前方斜視図を示す。図８Ｄは、中サイズの試験片４１０が第２検出開口部２３４と第２挿入口２１５に挿入された後の、本開示のいくつかの実施形態による主ブラケット２２０と試験片ブラケット２３０の後方斜視図を示す。
【００３６】
いくつかの実施形態において、図３Ｂに関連して、中サイズの試験片４１０が第２挿入口２１５（図３Ｂに図示）と第２検出開口部２３４に挿入されることに応じ、中サイズの試験片４１０は、主検出開口部２２２を露出させるように、第２扉２２６をその第１の位置から第２の位置に押す。したがって、図６Ａに関連して、主検出開口部２２２は、第２検出開口部２３４と揃う。加えて、第２検出開口部２３４の入口２３５は、第２挿入口２１５が中サイズの試験片４１０を受け、かつ中サイズの試験片４１０と異なるサイズの試験片を受けないことに対応する第１形状を含む。
【００３７】
いくつかの実施形態において、中サイズの試験片４１０が第２挿入口２１５と第２検出開口部２３４に挿入されることに応じ、中サイズの試験片４１０の反応領域４１１は、第２検出開口部２３４および主検出開口部２２２と揃う。いくつかの実施形態において、図１、図２Ａ、図３Ｂ、および図３Ｃに関連して、画面３２０からの光は、照明画面開口部１１２、光ガイド照明開口部２４２、主検出開口部２２２、および第２検出開口部２３４を順に通り、最後に照明反応領域４１１を通るように構成される。カメラ３１０はまた、第２検出開口部２３４、主検出開口部２２２、光ガイド開口部２４１、およびカメラ穴１１１を順に通して、反応領域４１１の画像を取得するように構成される。取得した画像は次に、試料中の分析物（例えば血糖）の濃度を得るために分析される。
【００３８】
図９Ａは、小サイズの試験片４２０が第１検出開口部２３３と第２挿入口２１５に挿入される前の、本開示のいくつかの実施形態による主ブラケット２２０と試験片ブラケット２３０の前方斜視図を示す。図９Ｂは、小サイズの試験片４２０が第１検出開口部２３３と第２挿入口２１５に挿入される前の、本開示のいくつかの実施形態による主ブラケット２２０と試験片ブラケット２３０の後方斜視図を示す。図９Ｃは、小サイズの試験片４２０が第１検出開口部２３３と第２挿入口２１５に挿入された後の、本開示のいくつかの実施形態による主ブラケット２２０と試験片ブラケット２３０の前方斜視図を示す。図９Ｄは、小サイズの試験片４２０が第１検出開口部２３３と第２挿入口２１５に挿入された後の、本開示のいくつかの実施形態による主ブラケット２２０と試験片ブラケット２３０の後方斜視図を示す。  
【００３９】
いくつかの実施形態において、図３Ａに関連して、小サイズの試験片４２０が第２挿入口２１５（図３Ｂに図示）と第１検出開口部２３３に挿入されることに応じ、小サイズの試験片４２０は、第２扉２２６の下に配置可能であり、第２扉２２６は、第２扉２２６の第１の位置に維持される。したがって、図６Ｂに関連して、主検出開口部２２２は、第２扉２２６のブロックを有しない第１検出開口部２３３と揃う。加えて、第３の検出開口部２３３の入口２３６は、第２挿入口２１５が小サイズの試験片４２０を受け、かつ小サイズの試験紙４２０と異なるサイズの試験片を受けないことに対応する第２形状を含む。
【００４０】
いくつかの実施形態において、小サイズの試験片４２０が第２挿入口２１５と第１検出開口部２３３に挿入されることに応じ、小サイズの試験片４２０の反応領域４２１は、第１検出開口部２３３および主検出開口部２２２と揃う。いくつかの実施形態において、図１、図２Ａ、図３Ａ、および図３Ｃに関連して、画面３２０からの光は、照明画面開口部１１２、光ガイド照明開口部２４２、主検出開口部２２２、および第１検出開口部２３３を順に通り、最後に照明反応領域４２１を通るように構成される。カメラ３１０はまた、第１検出開口部２３３、主検出開口部２２２、光ガイド開口部２４１、およびカメラ穴１１１を順に通して、反応領域４２１の画像を取得するように構成される。取得した画像は次に、試料中の分析物（例えば血糖）の濃度を得るために分析される。
【００４１】
図１０Ａは、キャリブレーション試験片４３０が第１挿入口２１４に挿入される前の、本開示のいくつかの実施形態による主ブラケット２２０と試験片ブラケット２３０の前方斜視図を示す。図１０Ｂは、キャリブレーション試験片４３０が第１挿入口２１４に挿入される前の、本開示のいくつかの実施形態による主ブラケット２２０と試験片ブラケット２３０の後方斜視図を示す。図１０Ｃは、キャリブレーション試験片４３０が第１挿入口２１４に挿入された後の、本開示のいくつかの実施形態による主ブラケット２２０と試験片ブラケット２３０の前方斜視図を示す。図１０Ｄは、キャリブレーション試験片４３０が第１挿入口２１４に挿入された後の、本開示のいくつかの実施形態による主ブラケット２２０と試験片ブラケット２３０の後方斜視図を示す。
【００４２】
いくつかの実施形態において、図３Ａに関連して、キャリブレーション試験片４１０が第１挿入口２１４に挿入されることに応じ、キャリブレーション試験片４３０は、第１扉２２４と第２扉２２６を押すことができる。第２扉２２６をその第１の位置から第２の位置に押すことによって、主検出開口部２２２は、少なくとも部分的に第２扉２２６に遮られていない。図６Ｃに関連して、キャリブレーション試験片４３０の一部（例えば、キャリブレーション区画４３１、４３２、４３３、４３４および４３５）は、主検出開口部２２２の上方に、主検出開口部２２２と揃うように配置可能である。
【００４３】
いくつかの実施形態において、図１、図２Ａ、図３Ａおよび図３Ｃに関連して、画面３２０からの光は、照明画面開口部１１２、光ガイド照明開口部２４２および主検出開口部２２２を順に通り、最後にキャリブレーション試験片４３０のキャリブレーション区画４３１、４３２、４３３、４３４および４３５を照らすように構成される。カメラ３１０はまた、主検出開口部２２２、光ガイド開口部２４１、およびカメラ穴１１１を順に通して、キャリブレーション区画４３１、４３２、４３３、４３４の画像を取得するように構成される。上記のように、取得した画像は次に、画面３２０からの光が、生理学的測定に適した光源であるかを決定するように分析される。いくつかの実施形態において、いくつかの生理学的測定の例が図８Ａ、図８Ｂ、図９Ａ、図９Ｂ、図１１Ａおよび図１１Ｂに示されている。
【００４４】
図１１Ａは、大サイズの試験片４４０が第１挿入口２１４に挿入される前の、本開示のいくつかの実施形態による主ブラケット２２０と試験片ブラケット２３０の前方斜視図を示す。図１１Ｂは、大サイズの試験片４４０が第１挿入口２１４に挿入される前の、本開示のいくつかの実施形態による主ブラケット２２０と試験片ブラケット２３０の後方斜視図を示す。図１１Ｃは、大サイズの試験片４４０が第１挿入口２１４に挿入された後の、本開示のいくつかの実施形態による主ブラケット２２０と試験片ブラケット２３０の前方斜視図を示す。図１１Ｄは、大サイズの試験片４４０が第１挿入口２１４に挿入された後の、本開示のいくつかの実施形態による主ブラケット２２０と試験片ブラケット２３０の後方斜視図を示す。
【００４５】
いくつかの実施形態において、図３Ａに関連して、大サイズの試験片４４０が第１挿入口２１４に挿入されることに応じ、大サイズの試験片４４０は、第１扉２２４と第２扉２２６を押すことができる。第２扉２２６をその第１の位置から第２の位置に押すことによって、主検出開口部２２２は、少なくとも部分的に第２扉２２６から見通せる。図６Ｃに関連して、大サイズの試験片４４０の反応領域４４２は、主検出開口部２２２の上方に、主検出開口部２２２と揃うように配置可能である。
【００４６】
いくつかの実施形態において、図１、図２Ａ、図３Ａおよび図３Ｃに関連して、画面３２０からの光は、照明画面開口部１１２、光ガイド照明開口部２４２および主検出開口部２２２を順に通り、最後に大サイズの試験片４４０の反応領域４４２を照らすように構成される。カメラ３１０はまた、主検出開口部２２２、光ガイド開口部２４１、およびカメラ穴１１１を順に通して、反応領域４４２の画像を取得するように構成される。取り込んだ画像は次に、試料中の分析物（例えば血糖）の濃度を得るために分析される。
【００４７】
上記のように、いくつかの実施形態において、試験片アダプタ２００は、異なる種類の試験片（例えば、試験片４１０、４２０、４３０および４４０）を受けるように、少なくとも２つの挿入口（例えば、第１挿入口２１４と第２挿入口２１５）および少なくとも３つの検出開口部（例えば、主検出開口部２２２、第１検出開口部２３３、第２検出開口部２３４）を含む。ユーザは、異なる種類の試験片に合わせて試験片アダプタを変更する必要がない。
【００４８】
上記から、本開示の様々な実施形態が例示の目的で本明細において記載され、本開示の範囲および精神から逸脱することなく、様々な変更が可能であると理解される。したがって、本明細書で開示される様々な実施形態は、限定することを意図するものではなく、真の範囲および精神は、以下の特許請求の範囲によって示される。
【図１】
0006825130.tif 000002
【図２Ａ】
0006825130.tif 000003
【図２Ｂ】
0006825130.tif 000004
【図３Ａ】
0006825130.tif 000005
【図３Ｂ】
0006825130.tif 000006
【図３Ｃ】
0006825130.tif 000007
【図３Ｄ】
0006825130.tif 000008
【図４】
0006825130.tif 000009
【図５Ａ】
0006825130.tif 000010
【図５Ｂ】
0006825130.tif 000011
【図６Ａ】
0006825130.tif 000012
【図６Ｂ】
0006825130.tif 000013
【図６Ｃ】
0006825130.tif 000014
【図７Ａ】
0006825130.tif 000015
【図７Ｂ】
0006825130.tif 000016
【図７Ｃ】
0006825130.tif 000017
【図７Ｄ】
0006825130.tif 000018
【図８Ａ】
0006825130.tif 000019
【図８Ｂ】
0006825130.tif 000020
【図８Ｃ】
0006825130.tif 000021
【図８Ｄ】
0006825130.tif 000022
【図９Ａ】
0006825130.tif 000023
【図９Ｂ】
0006825130.tif 000024
【図９Ｃ】
0006825130.tif 000025
【図９Ｄ】
0006825130.tif 000026
【図１０Ａ】
0006825130.tif 000027
【図１０Ｂ】
0006825130.tif 000028
【図１０Ｃ】
0006825130.tif 000029
【図１０Ｄ】
0006825130.tif 000030
【図１１Ａ】
0006825130.tif 000031
【図１１Ｂ】
0006825130.tif 000032
【図１１Ｃ】
0006825130.tif 000033
【図１１Ｄ】
0006825130.tif 000034